(57)【要約】      （修正有）【課題】コストの節約と環境保護を両立できるインクジェットプリンタのインクカートリッジの構造を提供する。【解決手段】海綿体無しのインクカートリッジを筐体１とインクジェットベース体２とが係合する構造に設計し、インクジェットベース体にPECVD技術によりプリント回路を付加し、インクジェットベース体にある凹みの実装ベース２４上にソケット２５が実装され、ヒーターチップ２８と結合するノズルプレート２７がソケット内に係合され、ヒーターチップとソケットの表面にあるディバージョン槽の中の加熱シートとが電気的に接続され、ソケットの縁に付着される垂直配線が実装ベースの縁にプリント回路により湾曲される直方向配線と電気的に接続される。【選択図】図２
0003116481.tif 000002
【実用新案登録請求の範囲】
【請求項１】
海綿体無しインクカートリッジは、
周縁に係合縁が環設され、底部にインク出口がる筐体と、
筐体の係合縁に係合する係合槽が設けられ、一端のインク入り口と筐体のインク出口とが接続され、外縁にプリント回路が付着され、底部に凹みの実装ベースがあり、実装ベースの縁にプリント回路により湾曲される配線が付着されるインクジェットベース体と、
インクジェットベース体の実装ベース内に係合され、その縁に付着される配線とインクジェットベース体の実装ベースの縁にある配線とが電気的に接続され、中央に、インクジェットベース体のインク入り口に接続されるインク出口があり、表面に位置する複数のディバージョン槽の中に加熱シートがあるソケットと、
ソケット内に係合され、その上にノズルがあるノズルプレートと、
ノズルプレートに付着される一端が、ソケットの表面に位置するディバージョン槽の中の加熱シートと電気的に接続されるヒーターチップと、が含有され、
上記の組み立てられたインクジェットベース体は、筐体から取り外されることができ、ヒーターチップが付着されたノズルプレートも、ソケットから取り外されて交換される、ことを特徴とするインクジェットプリンタのインクカートリッジの構造。
【請求項２】
ソケットの中央に位置するインク出口の回りにワッシャーが環設される、ことを特徴とする請求項１に記載のインクジェットプリンタのインクカートリッジの構造。
【請求項３】
インクジェットベース体のインク入り口の外側に、更に、フィルタがある、ことを特徴とする請求項１に記載のインクジェットプリンタのインクカートリッジの構造。
【請求項４】
インクジェットベース体上に付着されるプリント回路は、プラズマCVD技術（PECVD）により付着される、ことを特徴とする請求項１に記載のインクジェットプリンタのインクカートリッジの構造。
【考案の詳細な説明】
【技術分野】
【０００１】
本考案は、インクジェットプリンタのインクカートリッジの構造に関し、特に、係合されるノズルプレートとヒーターチップとが、独自的に、交換のために取り外されることができるので、インクを蓄蔵する筐体が、交換することが必要しなく、繰り返して使用することができるから、コストを節約することが出来るだけでなく、環境保護も考量される、筐体から取り外し可能なインクジェットベース体に関する。
【背景技術】
【０００２】
インクジェットプリンタは、コンピュータからのプリントコマンドを受信して、インクカートリッジでインクジェットプリントを行い、図４は、従来のインクカートリッジの外観図であり、インクカートリッジ100は、インクを蓄蔵するためのインク蓄蔵槽101があり、当該インク蓄蔵槽101の底部102に、インク蓄蔵槽101のインクをプリント書類にジェットするためのインクジェット装置103（図４の上方）が設けられ、これにより、インクジェットプリントの目的が達成され、また、インクジェット装置103は、ノズルプレート（nozzle plate）1031とヒーターチップ（heater chip）との組合わせと、フレキシブルなプリント回路板1032と当該プリント回路板1032の下方に位置するディバージョンモジュール（図に表示せず）とが含有され、インクは、ノズルプレート1031上のノズル1033からプリント書類の上に噴出する。
【０００３】
ノズルプレート1031とプリント回路板1032とが、直接にインクカートリッジ100上に付着されて、インクカートリッジ100と一体になるため、ヒーターチップが、ある期間に使用されて駆動できなくなり、交換されることが必要である場合、或いは、プリント回路板1032上に電気的に接続するための配線が断裂し、そして、インクが浸漬することによる短絡現象が発生する場合、インクカートリッジ100全体は、使えない状態になるため、捨てられることしか出来ず、それにより、プリントコストが高くなるだけでなく、環境保護に悪影響を与える問題も指摘される。
【０００４】
本考案者は、上記の問題を解消するため、当産業に関する長年の経験に基づいて、慎重的に且つ絶えずに試作することを介して、従来製品の欠点を解消するインクジェットプリンタのインクカートリッジを提案する。
【考案の開示】
【考案が解決しようとする課題】
【０００５】
本考案は、コストの節約と環境保護を両立できるインクジェットプリンタのインクカートリッジの構造を提供する。
【課題を解決するための手段】
【０００６】
本考案の主な目的は、筐体とインクジェットベース体とが取り外し可能な構造で、ノズルプレートとヒーターチップとの組合わせがソケットによりインクジェットベース体上に係合され、ヒーターチップがある期間に使用されて交換されることが必要とする時、ノズルプレートとヒーターチップとの組合わせだけを交換すれば良く、インクジェットベース体上のプリント回路が短絡になる時やインクに浸漬する時、インクジェットベース体だけを交換すれば良く、筐体自身が交換されることなくそのまま使用できるため、コストの節約ができ、そして、環境保護も考量される、ことを特徴とするインクジェットプリンタのインクカートリッジの構造を提供する。
【考案を実施するための最良の形態】
【０００７】
以下、図面を参照しながら、本考案について詳しく説明する。
【０００８】
図１〜図３を参照しながら、本考案に係わるインクカートリッジ10は、海綿体無しでインク充填可能な装置であり、主として、筐体1とインクジェットベース体2との組合わせにより構成され、筐体1の底部（図式の上方）周縁に、インクジェットベース体2の冂形係合槽21と係合するための内凹みの係合縁11が環設され、筐体1の底部にあるインク出口12は、インクジェットベース体2のインク入り口22に接続され、インク入り口22の外側にフィルタ221があり、インクジェットベース体2上プリント回路23が付着され、当該プリント回路23は、プラズマCVD技術（Plasma Enhanced Chemical Vapor Deposition、PECVDと称する）により、インクジェットベース体2上に付着され、
図２を参照しながら、インクジェットベース体2の底部に凹みの実装ベース24があり、実装ベース24の中央に位置するインク出口241は、もう一端のインク入り口22に接続され（図３のように）、実装ベース24の縁において、プリント回路23により湾曲された直方向の配線231は、プリント回路23に垂直し、当該実装ベース24内に、ソケット（socket）25が係合され、ソケット25の縁に付着された垂直配線251と、実装ベース24の縁に付着された配線231とは、電気的に接続され、ソケット25のインク出口252の回りに、密封ワッシャー26が環設され、ノズルプレート（nozzle plate）27の一端に付着されたヒーターチップ（heater chip）28は、ソケット25の表面にある複数のディバージョン槽253の中の加熱シートと電気的に接続され、インクカートリッジ10は、受信したプリントコマンドをヒーターチップ28へ伝送し、ヒーターチップ28は、受信したプリントコマンドに基づいて加熱シートを駆動してディバージョン槽253にあるインクを加熱し、また、ノズルプレート27上のノズル271からインクを噴出し、これにより、インクジェットプリントの目的が達成される。
【０００９】
また、筐体1の底部にあるインク出口12から、ニードルシリンダー状のインク充填器でインクをインク蓄蔵槽に注入することができるため、インクカートリッジ10が繰り返して使用されることができる。
【００１０】
上記の組み立てられたインクジェットベース体2は、ノズルプレート27と、係合するヒーターチップ28を取り外して交換することができるため、インクを蓄蔵する筐体1とインクジェットベース体2本体とは、繰り返して使用されることができ、また、プリント回路23が短絡する時やインクがプリント回路23に浸漬する時、インクジェットベース体2だけを交換すれば良く、筐体1は、交換することが必要せず、繰り返して使用することができ、これにより、環境保護とコストの節約が両立される。
【００１１】
以上のように、本考案に係わるインクジェットプリンタのインクカートリッジの構造によれば、筐体とインクジェットベース体との組み立てによる構造であり、ヒーターチップは、ソケットによりインクジェットベース体上のノズルプレートに結合されることにより、インクジェットベース体に係合されるため、耐久性の制限があるヒーターチップが一定の期間に使用されると、使用できなくなる時、ヒーターチップと結合するノズルプレートを取り外して交換すればよく、インクジェットベース体上に付着されたプリント回路が短絡になる或いは、インクがプリント回路に浸漬する時、インクジェットベース体だけを交換すれば良く、インクを蓄蔵する筐体は、繰り返して使用することができ、これにより、コストの節約と環境保護を両立でき、その実用性は、明白的であり、また、本考案は、公的に披露されることがないし、刊行物に記載されることが無いため、法に従って、出願する。
【図面の簡単な説明】
【００１２】
【図１】本考案の外観図
【図２】本考案の分解図
【図３】本考案の断面概念図
【図４】従来の製品の外観図
【符号の説明】
【００１３】
(10)インクカートリッジ (1)筐体                   (11)係合縁
(12)インク出口         (2)インクジェットベース体 (21)係合槽
(22)インク入り口       (221)フィルタ             (23)プリント回路
(231)配線              (24)実装ベース            (241)インク出口
(25)ソケット           (251)配線                 (252)インク出口
(253)ディバージョン槽  (26)ワッシャー            (27)ノズルプレート
(271)ノズル            (28)ヒーターチップ        (100)インクカートリッジ
(101)インク蓄蔵槽      (102)底部                 (103)インクジェット装置
(1031)ノズルプレート   (1032)プリント回路板      (1033)ノズル
【図２】
0003116481.tif 000003
【図１】
0003116481.tif 000004
【図３】
0003116481.tif 000005
【図４】
0003116481.tif 000006